(57)【要約】【課題】手摺の形状等をユーザに適したものに調整するにあたり、その調整の手間を無くすことができる自動調整式手摺装置を提供する。【解決手段】高さ及び太さが調整可能な手摺２０と、手摺２０の調整を行なう電動モータ３２，４１〜４３と、手摺２０を使用するユーザに携帯され、ユーザを特定する個人識別情報が記憶され、個人識別情報及び嗜好情報を含むユーザ信号を送信可能なスマートキーＫと、スマートキーＫから送信されたユーザ信号を受信可能な通信機３４とを備える。そして、通信機３４により受信したユーザ信号に含まれている情報に基づき、制御装置３３は電動モータ３２，４１〜４３を駆動させる。これにより、手摺２０に近づいたユーザのスマートキーＫからユーザ信号が送信され、そのユーザ信号の情報に基づき、手摺２０の高さ及び太さが自動で調整される。【選択図】      図１
2008261148.tif 000002
【特許請求の範囲】
【請求項１】
形状及び位置の少なくとも一方が調整可能な手摺と、
前記手摺の調整を行なうアクチュエータと、
前記手摺を使用するユーザに携帯され、ユーザを特定する個人識別情報が記憶され、前記個人識別情報を少なくとも含むユーザ信号を送信可能な携帯型送信機と、
前記携帯型送信機から送信された前記ユーザ信号を受信可能な受信機と、
前記受信機により受信した前記ユーザ信号に含まれている情報に基づき、前記アクチュエータを駆動させるよう制御する制御装置と、
を備えることを特徴とする自動調整式手摺装置。
【請求項２】
調整される前記手摺の形状とは、前記手摺の長手方向の形状、前記手摺の断面形状及び前記手摺の太さの少なくとも一つであることを特徴とする請求項１に記載の自動調整式手摺装置。
【請求項３】
調整される前記手摺の位置とは、前記手摺の高さ位置、前記手摺の壁面からの水平位置、及び前記手摺の傾斜角度の少なくとも一つであることを特徴とする請求項１又は２に記載の自動調整式手摺装置。
【請求項４】
前記手摺は、第１手摺、第２手摺及び第３手摺の少なくとも３つに長手方向に分割されて構成されており、
前記第２手摺は、前記第１手摺及び前記第３手摺の間に位置してこれらの手摺とともに使用される使用位置と、前記第１手摺及び前記第３手摺の間から退避した退避位置とに、移動可能であり、
前記制御装置は、前記ユーザ信号に含まれている情報に基づき、前記第２手摺の使用有無を判定し、その判定結果に応じて前記使用位置と前記退避位置とに切り換えるよう、前記アクチュエータを駆動させることを特徴とする請求項１乃至３のいずれかに記載の自動調整式手摺装置。
【請求項５】
前記個人識別情報に対する前記手摺の調整内容が予め設定されており、
受信した前記ユーザ信号に含まれている前記個人識別情報に対応する、予め設定された前記調整内容に基づき、前記制御装置は前記アクチュエータを駆動させることを特徴とする請求項１乃至４のいずれかに記載の自動調整式手摺装置。
【請求項６】
前記ユーザ信号には、前記携帯型送信機に記憶された前記調整内容に関する付加情報が含まれており、
前記制御装置は前記付加情報の内容に応じて前記アクチュエータを駆動させることを特徴とする請求項１乃至４のいずれかに記載の自動調整式手摺装置。
【請求項７】
前記付加情報には、ユーザの身体特性情報及び嗜好情報の少なくとも一方が含まれていることを特徴とする請求項６に記載の自動調整式手摺装置。
【請求項８】
複数の前記個人識別情報に対して優先順が予め登録されており、
前記受信機が複数の前記ユーザ信号を同時に受信して、複数の前記個人識別情報が認識された場合には、前記制御装置は、優先順位の高い個人識別情報に対応する前記ユーザ信号に基づき前記アクチュエータを駆動させることを特徴とする請求項１乃至７のいずれかに記載の自動調整式手摺装置。
【請求項９】
前記受信機が複数の前記ユーザ信号を同時に受信して、複数の前記個人識別情報が認識された場合には、前記制御装置は、各々の前記ユーザ信号に基づく調整量の平均値となるように前記アクチュエータを駆動させることを特徴とする請求項１乃至７のいずれかに記載の自動調整式手摺装置。
【請求項１０】
前記手摺をユーザが使用している最中に前記受信機が他の前記ユーザ信号を受信した場合であっても、前記制御装置は、前記アクチュエータの駆動内容を変更させることなく維持させることを特徴とする請求項１乃至９のいずれかに記載の自動調整式手摺装置。
【請求項１１】
ユーザ毎の使用実績を記録し、
前記使用実績に基づき次回に使用する可能性の高いユーザを推定し、
所定時間前記手摺が使用されない場合には、前記制御装置は、前記推定されたユーザに適した調整状態となるように前記アクチュエータを予め駆動させておくことを特徴とする請求項１乃至１０のいずれかに記載の自動調整式手摺装置。
【請求項１２】
前記携帯型送信機は、スマートキー、携帯電話、ＩＣタグ及びＩＣカードのいずれかであることを特徴とする請求項１乃至１１のいずれかに記載の自動調整式手摺装置。
【発明の詳細な説明】
【技術分野】
【０００１】
本発明は、形状及び位置の少なくとも一方を自動で調整する自動調整式手摺装置に関する。
【背景技術】
【０００２】
近年では、建物内のあらゆる場所に歩行や各種動作を補助するための手摺が設けられるようになってきており、手摺の設置場所の例としては、廊下、階段、玄関土間と玄関フロアとの間の段差、トイレ、浴室、洗面所、ベッド等が挙げられる。また、手摺のユーザとしては、自立歩行可能な下肢障害者又は下肢衰弱者（以下単に下肢弱者と記載する。）、高齢者等が挙げられる。
【０００３】
そして、ユーザの使い勝手に応じて手摺の形状や位置を調整可能としたものが特許文献１，２等にて開示されている。例えば、特許文献１記載の手摺は、手摺の太さが調整可能に構成されている。また、特許文献２記載の手摺は、手摺の高さが調整可能に構成されている。
【特許文献１】特開２００３−３２２２８号公報
【特許文献２】特開平９−２２１８９６号公報
【発明の開示】
【発明が解決しようとする課題】
【０００４】
しかしながら、上記特許文献１，２記載の手摺は、いずれも手動で調整する構造であるため、その調整が手間である。特に、建物内に複数のユーザが居る場合には、ユーザが手摺を使う度に調整することは極めて煩わしく現実的ではない。
【０００５】
本発明は、手摺の形状等をユーザに適したものに調整するにあたり、その調整の手間を無くすことができる自動調整式手摺装置を提供することを主たる目的とするものである。
【課題を解決するための手段】
【０００６】
本発明は、上記課題を解決するために、以下の手段を採用した。
【０００７】
すなわち、第１の発明では、形状及び位置の少なくとも一方が調整可能な手摺と、前記手摺の調整を行なうアクチュエータと、前記手摺を使用するユーザに携帯され、ユーザを特定する個人識別情報が記憶され、前記個人識別情報を少なくとも含むユーザ信号を送信可能な携帯型送信機と、前記携帯型送信機から送信された前記ユーザ信号を受信可能な受信機と、前記受信機により受信した前記ユーザ信号に含まれている情報に基づき、前記アクチュエータを駆動させるよう制御する制御装置と、を備えることを特徴とする。
【０００８】
これによれば、ユーザが手摺に近づくと、ユーザが携帯している携帯型送信機から送信されるユーザ信号を受信機が受信する。すると、受信したユーザ信号に含まれている情報に基づき、手摺の形状及び位置の少なくとも一方がアクチュエータにより自動で調整されることとなる。したがって、本発明に係る自動調整式手摺装置を用いれば、例えば建物内に複数のユーザが居る場合であっても、各々のユーザが手摺を使用する毎に自動で調整がなされるので、手摺の高さや太さをユーザが調整する手間を無くすことができ、利便性を向上できる。
【０００９】
調整される手摺の形状の具体例としては、第２の発明のように、前記手摺の長手方向の形状、前記手摺の断面形状及び前記手摺の太さの少なくとも一つが挙げられる。また、手摺の長手方向の形状とは、図６に例示されるように直線的に延びる手摺の形状が蛇行する形状となるように調整されることが挙げられる。
【００１０】
調整される手摺の位置の具体例としては、第３の発明のように、前記手摺の高さ位置、前記手摺の壁面からの水平位置、及び前記手摺の傾斜角度の少なくとも一つが挙げられる。
【００１１】
また、第４の発明では、前記手摺は、第１手摺、第２手摺及び第３手摺の少なくとも３つに長手方向に分割されて構成されており、前記第２手摺は、前記第１手摺及び前記第３手摺の間に位置してこれらの手摺とともに使用される使用位置と、前記第１手摺及び前記第３手摺の間から退避した退避位置とに、移動可能であり、前記制御装置は、前記ユーザ信号に含まれている情報に基づき、前記第２手摺の使用有無を判定し、その判定結果に応じて前記使用位置と前記退避位置とに切り換えるよう、前記アクチュエータを駆動させることを特徴とする。
【００１２】
これによれば、図１に例示されるように手摺２１，２３が途切れた部分に第２手摺２２が配置される場合に適用すれば、手摺を使用しない健常者が通行する時には退避位置に移動させることにより、健常者にとって広い通行スペースとなるようにできる。また、手摺を使用する下肢弱者が通行する時には使用位置に移動させることにより、下肢弱者にとって途切れのない手摺にでき、利便性に富む。
【００１３】
また、第５の発明では、前記個人識別情報に対する前記手摺の調整内容が予め設定されており、受信した前記ユーザ信号に含まれている前記個人識別情報に対応する、予め設定された前記調整内容に基づき、前記制御装置は前記アクチュエータを駆動させることを特徴とする。よって、調整内容を変更するにあたり、個人識別情報に対して予め設定されている手摺の調整内容を変更すればよい。
【００１４】
また、第６の発明では、前記ユーザ信号には、前記携帯型送信機に記憶された前記調整内容に関する付加情報が含まれており、前記制御装置は前記付加情報の内容に応じて前記アクチュエータを駆動させることを特徴とする。よって、調整内容を変更するにあたり、付加情報の内容を変更すればよい。
【００１５】
また、第７の発明では、前記付加情報には、ユーザの身体特性情報及び嗜好情報の少なくとも一方が含まれていることを特徴とする。これにより、ユーザの身長等の身体特性情報により画一的に調整内容を設定するようにもできるし、同じ身長であってもユーザの嗜好に合わせて調整内容を設定するようにもできる。
【００１６】
また、第８の発明では、複数の前記個人識別情報に対して優先順が予め登録されており、前記受信機が複数の前記ユーザ信号を同時に受信して、複数の前記個人識別情報が認識された場合には、前記制御装置は、優先順位の高い個人識別情報に対応する前記ユーザ信号に基づき前記アクチュエータを駆動させることを特徴とする。これによれば、ユーザの優先順にあわせて手摺が自動調整されるので、好適である。優先順位の具体例としては、自立歩行可能な下肢障害者、自立歩行可能な下肢衰弱者、健常者の順が挙げられる。
【００１７】
また、第９の発明では、前記受信機が複数の前記ユーザ信号を同時に受信して、複数の前記個人識別情報が認識された場合には、前記制御装置は、各々の前記ユーザ信号に基づく調整量の平均値となるように前記アクチュエータを駆動させることを特徴とする。これによれば、複数ユーザの平均値で手摺が自動調整されるので、好適である。
【００１８】
また、第１０の発明では、前記手摺をユーザが使用している最中に前記受信機が他の前記ユーザ信号を受信した場合であっても、前記制御装置は、前記アクチュエータの駆動内容を変更させることなく維持させることを特徴とする。これによれば、ユーザが手摺を使用している最中に、他のユーザが手摺に近づいてきたことにより他のユーザに合わせて手摺が再調整されてしまうことを回避でき、使用中のユーザに対して利便性を向上でき、好適である。
【００１９】
また、第１１の発明では、ユーザ毎の使用実績を記録し、前記使用実績に基づき次回に使用する可能性の高いユーザを推定し、所定時間前記手摺が使用されない場合には、前記制御装置は、前記推定されたユーザに適した調整状態となるように前記アクチュエータを予め駆動させておくことを特徴とする。これによれば、次回に使用するユーザが手摺に近づいてきた時には既にそのユーザに適した調整状態になっているので、手摺が調整される時間を待たずにそのユーザは調整済みの手摺を使用することができ、利便性を向上できる。
【００２０】
また、第１２の発明のように、携帯型送信機は、スマートキー、携帯電話、ＩＣタグ及びＩＣカードのいずれかであることが望ましい。
【発明を実施するための最良の形態】
【００２１】
以下、本発明を具体化した各実施形態を図面に基づいて説明する。なお、以下の各実施形態相互において、互いに同一もしくは均等である部分には、図中、同一符号を付してある。
【００２２】
［第１の実施形態］
図１は、建物内の通路のレイアウトを示した模式図であり、２つの縦通路１１及び横通路１２が交差している。本実施形態では、本発明に係る自動調整式手摺装置を、このような通路１１，１２に設置された手摺２０に適用したものである。なお、これらの通路１１，１２は水平に延びる平坦な通路である。
【００２３】
手摺２０は、通路１１の壁面１１ａに沿って水平方向に延びる円柱又は円筒形状であり、第１手摺２１、第２手摺２２及び第３手摺２３の３つに長手方向に分割されて構成されている。第２手摺２２は、第１手摺２１及び第３手摺２３の間に位置してこれらの手摺とともに使用される使用位置（図１に示す２点鎖線位置）と、第１手摺２１及び第３手摺２３の間から上方に退避した退避位置（図１に示す実線位置）とに、上下方向に移動可能となっている。
【００２４】
図２は、第２手摺２２の構造を示す斜視図であり、第２手摺２２の両端には、壁面１１ａに向けて延びる一対の脚柱２２ａ，２２ｂが備えられている。一方、壁面１１ａには一対のガイドレール３０が取り付けられており、これらのガイドレール３０の開口部３１に脚柱２２ａ，２２ｂの先端は挿入配置されている。そして、脚柱２２ａ，２２ｂはガイドレール３０にスライド移動可能に係合している。
【００２５】
そして、壁面１１ａ内部には、図１に示すアクチュエータとしての電動モータ３２が設置されており、この電動モータ３２の駆動が制御装置３３に制御されることにより、第２手摺２２の高さ位置は使用位置と退避位置とに切り換え移動する。
【００２６】
図３は、第１手摺２１、第２手摺２２及び第３手摺２３の構造を示す断面図であり、各手摺２１，２２，２３の構造は共通であるため、以下、第１手摺２１についてのみ説明する。手摺２１は、図示しない支柱を介して壁面１１ａに固定されて支持されている本体部２１ａを備えている。本体部２１ａは金属の剛体であり、円筒形状に形成されている。
【００２７】
また、手摺２１は、本体部２１ａの外周側に位置する弾性部２１ｂを備えている。弾性部２１ｂは長手方向に延びるスリット２１ｃが形成された略円筒形状である。また、弾性部２１ｂは径方向に弾性変形可能であり、図３（ａ）は径方向に縮小した状態、図３（ｂ）は径方向に拡大した状態を示している。
【００２８】
弾性部２１ｂの内周面には、本体部２１ａに向けて延びる雄ねじ部２１ｄが回転可能に取り付けられており、雄ねじ部２１ｄは、本体部２１ａに形成された雌ねじ部２１ｅに締結されている。また、第１〜第３手摺２１，２２，２３のそれぞれには、各雄ねじ部２１ｄを回転させるアクチュエータとしての電動モータ４１，４２，４３が設けられている（図１参照）。
【００２９】
そして、図３（ａ）の状態において、制御装置３３の制御により電動モータ４１が駆動すると、雄ねじ部２１ｄが回転することにともない弾性部２１ｂの中心が本体部２１ａの中心から離れる向きに移動することとなり、その結果、図３（ｂ）に示すように弾性部２１ｂは径方向に拡大する。つまり、手摺２１の太さが太くなる。このように、制御装置３３により電動モータ４１，４２，４３の駆動を制御することで、第１手摺２１、第２手摺２２及び第３手摺２３の太さを調節することができる。
【００３０】
自動調整式手摺装置は、手摺２０を使用するユーザに携帯されるスマートキーＫ（携帯型送信機）と、スマートキーＫと無線により送受信可能な通信機３４（受信機）とを備えて構成されている。スマートキーＫが有するＥＥＰＲＯＭ等の書き換え可能メモリには、ユーザを特定する個人識別情報と、個人識別情報とは別の嗜好情報（付加情報）とが記憶されている。
【００３１】
通信機３４は、第２手摺２２の近傍に設置されており、リクエスト信号を常時出力している。そして、スマートキーＫが通信機３４との通信可能エリアに進入してリクエスト信号を受信すると、スマートキーＫは、個人識別情報及び嗜好情報を含むユーザ信号を通信機３４に送信する。そして、通信機３４により受信されたユーザ信号は制御装置３３に出力される。
【００３２】
制御装置３３はユーザ信号を受信すると、個人識別情報が予め登録されている識別情報と一致しているか否かを判定することで、そのスマートキーＫが予め登録されたキーであるかの認証を行なう。そして、認証がなされれば、ユーザ信号に含まれている付加情報に基づき、第２手摺２２を使用するか否かを判定する。つまり、第２手摺２２を使用するユーザは、付加情報としてその旨を予めスマートキーＫに記憶させておく。そして、第２手摺２２を使用すると判定されれば、制御装置３３は第２手摺２２を使用位置に移動させるように電動モータ３２を駆動させる。一方、第２手摺２２を使用しないと判定されれば、制御装置３３は第２手摺２２を退避位置に移動させるように電動モータ３２を駆動させる。
【００３３】
また、制御装置３３は、上記認証がなされた場合には、ユーザ信号に含まれている付加情報に基づき、第１手摺２１、第２手摺２２及び第３手摺２３の太さがユーザに適した太さになるよう、電動モータ４１，４２，４３を駆動させる。つまり、手摺２０を使用するユーザは、各手摺２１，２２，２３の好みの太さを、付加情報として予めスマートキーＫに記憶させておく。
【００３４】
ここで、制御装置３３には複数の個人識別情報に対して、自立歩行可能な下肢障害者、自立歩行可能な下肢衰弱者、健常者の順で優先順が予め登録されている。そして、通信機３４が複数のユーザ信号を同時に受信して、複数の個人識別情報が認識された場合には、制御装置３３は、優先順位の高い個人識別情報に対応するユーザ信号に基づき、第２手摺２２の高さ位置及び各手摺２１，２２，２３の太さを自動調整する。これにより、例えば下肢障害者と健常者とが同時に手摺２０に近づいた場合であっても、下肢障害者が手摺２０を使用することを優先して第２手摺２２が使用位置に移動するよう制御されることとなる。
【００３５】
また、手摺２０をユーザが使用している最中に通信機３４が他のユーザ信号を受信した場合であっても、制御装置３３は、第２手摺２２の高さ位置及び各手摺２１，２２，２３の太さを変更させることなく維持させる。これによれば、ユーザが手摺２０を使用している最中に、他のユーザが手摺２０に近づいてきたことにより他のユーザに合わせて第２手摺２２の高さ位置及び各手摺２１，２２，２３の太さが変更されてしまうことを回避でき、使用中のユーザに対して利便性を向上できる。
【００３６】
また、制御装置３３は、ユーザ毎の使用実績を記録し、使用実績に基づき次回に使用する可能性の高いユーザを推定し、所定時間手摺２０が使用されない場合には、推定されたユーザの嗜好情報に応じた調整状態となるように、第２手摺２２の高さ位置及び各手摺２１，２２，２３の太さを予め調整する。これによれば、次回に使用するユーザが手摺２０に近づいてきた時には既にそのユーザに適した調整状態になっているので、手摺２０が調整される時間を待たずにそのユーザは調整済みの手摺２０を使用することができ、利便性を向上できる。
【００３７】
以上により、本実施形態によれば、手摺２０を使用する旨をスマートキーＫに記憶させた下肢弱者等のユーザが手摺２０に近づき、スマートキーＫが通信機３４との通信可能範囲に進入すると、嗜好情報を取得した制御装置３３により電動モータ３２の駆動が制御され、第２手摺２２が使用位置に自動で移動することとなる。また、制御装置３３により電動モータ４１，４２，４３の駆動が制御され、第１手摺２１、第２手摺２２及び第３手摺２３の太さが嗜好情報に記憶されたユーザの嗜好に合った太さになるよう、自動で太さが調整される。したがって、本実施形態に係る自動調整式手摺装置を用いれば、各々のユーザが手摺２０を使用する毎に、第２手摺２２の高さ位置及び各手摺２１，２２，２３の太さが自動で調整されるので、手摺２０の高さや太さをユーザが調整する手間を無くすことができ、利便性を向上できる。
【００３８】
［第２の実施形態］
本実施形態に係る自動調整式手摺装置は、各手摺２１，２２，２３の断面形状を、ユーザの嗜好に合わせて自動調整するものである。
【００３９】
図４は、本実施形態の第１手摺２１、第２手摺２２及び第３手摺２３の構造を示す断面図であり、各手摺２１，２２，２３の構造は共通であるため、以下、第１手摺２１についてのみ説明する。なお、図４では図示を省略しているが、本実施形態においても上記各実施形態と同様の制御装置３３、通信機３４及びスマートキーＫを備えている。
【００４０】
本実施形態は、上記第１の実施形態の弾性部２１ｂに替えて、上側拡大部２１１、下側拡大部２１２、内側拡大部２１３及び外側拡大部２１４を備えている。これらの拡大部２１１〜２１４は断面円弧形状であり、金属の剛体にて形成されている。
【００４１】
上側拡大部２１１の内周面には、本体部２１ａに向けて延びる雄ねじ部２１１ａが回転可能に取り付けられており、雄ねじ部２１１ａは、本体部２１ａに形成された雌ねじ部２１ｅに締結されている。また、下側拡大部２１２の内周面には、本体部２１ａに向けて延びる雄ねじ部２１２ａが回転可能に取り付けられており、雄ねじ部２１２ａは、本体部２１ａに形成された雌ねじ部２１ｆに締結されている。
【００４２】
内側拡大部２１３及び外側拡大部２１４は、弾性体としてのばね部材２１５により本体部２１ａに結合されており、ばね部材２１５の弾性力により上側拡大部２１１及び下側拡大部２１２に押し付けられている。
【００４３】
そして、図４（ａ）に示す状態において、制御装置３３により図示しない電動モータを駆動させて雄ねじ部２１１ａを回転させると、上側拡大部２１１が本体部２１ａから離れる向きに移動することとなり、その結果、図４（ｂ）に示すように上側拡大部２１１は径方向上側に拡大する。この時、内側拡大部２１３及び外側拡大部２１４は、上側拡大部２１１により上方に押されて移動する。つまり、手摺２１の上側部分の太さが太くなる。
【００４４】
また、図４（ａ）に示す状態において、制御装置３３により図示しない電動モータを駆動させて雄ねじ部２１２ａを回転させると、下側拡大部２１２が本体部２１ａから離れる向きに移動することとなり、その結果、図４（ｃ）に示すように下側拡大部２１２は径方向下側に拡大する。この時、内側拡大部２１３及び外側拡大部２１４は、下側拡大部２１２により下方に押されて移動する。つまり、手摺２１の下側部分の太さが太くなる。
【００４５】
以上により、本実施形態によれば、制御装置３３により電動モータの駆動を制御することで、手摺２０の太さを調節することができるとともに、手摺２０の断面形状を図４（ｂ）、（ｃ）の如く変化させることができる。よって、上側部分を太くした断面形状、及び下側部分を太くした断面形状のいずれを使用するかを、嗜好情報としてスマートキーＫに記憶させておけば、ユーザの嗜好に合わせて断面形状を自動で調整することができる。
【００４６】
［第３の実施形態］
上記第１の実施形態では、第２手摺２２を平行に移動させて高さ位置を調整可能に構成されているのに対し、本実施形態では、図５に示すように、第２手摺２２を回転させて回転位置（傾斜角度）を調整可能に構成されている。より具体的には、一対の脚柱２２ａ，２２ｂのうち一方の脚柱２２ａは壁面に回転可能に取り付けられ、他方の脚柱２２ｂはガイドレール３０にスライド移動可能に係合している。
【００４７】
なお、本実施形態の場合には、通路１１ではなく、トイレ、浴室、洗面所、ベッド等に設置された手摺に用いて好適である。
【００４８】
［第４の実施形態］
上記各実施形態では、水平に延びる平坦な通路１１に設置された手摺２０に本発明を適用しているのに対し、本実施形態では、図６に示すように階段１３に設置された手摺５０に本発明を適用している。なお、図６では図示を省略しているが、本実施形態においても上記各実施形態と同様の制御装置３３、通信機３４及びスマートキーＫを備えている。
【００４９】
図６は手摺５０及び階段１３を側方から見た模式図であり、この手摺５０は長手方向の形状が変更可能である。つまり、図中の実線に示す直線形状と、二点鎖線に示すように上下方向に波打たせた蛇行形状とに変形可能である。そして、手摺５０に内蔵された図示しないアクチュエータを駆動させることにより、直線形状と蛇行形状とに変形可能である。
【００５０】
以上により、本実施形態によれば、制御装置３３によりアクチュエータの駆動を制御することで、手摺５０の長手方向の形状を直線形状と蛇行形状とに変化させることができる。よって、いずれの形状を使用するかを嗜好情報としてスマートキーＫに記憶させておけば、ユーザの嗜好に合わせて手摺５０の長手方向形状を自動で調整することができる。
【００５１】
［第５の実施形態］
上記第４の実施形態では、手摺５０内部に複数のアクチュエータを内蔵させて手摺５０を直線形状と蛇行形状とに変化させているのに対し、本実施形態では、図７に示すように、予め蛇行した形状の手摺５１を用いて、手摺５１を軸中心Ｊ周りに回転させることで、蛇行の向きを変化させている。
【００５２】
より具体的に説明すると、図７（ａ）は手摺５１及び階段１３を側方から見た模式図であり、図７（ｂ）は（ａ）のＩ矢視図である。そして、制御装置３３により電動モータ４４（アクチュエータ）を駆動させて手摺５１を図７（ａ）（ｂ）の実線位置に回転させると、手摺５１は上方視において左右方向に蛇行することとなる。一方、手摺５１を図７（ａ）（ｂ）の二点鎖線位置に回転させると、手摺５１は側方視において上下方向に蛇行することとなる。
【００５３】
以上により、本実施形態によれば、制御装置３３により電動モータ４４の駆動を制御することで、手摺５１の蛇行向きを変化させることができる。よって、いずれの蛇行向きを使用するかを嗜好情報としてスマートキーＫに記憶させておけば、ユーザの嗜好に合わせて手摺５１の蛇行向きを自動で調整することができる。
【００５４】
［他の実施形態］
本発明は以上説明した実施の形態に限らず、例えば以下に別例として示した形態で実施することもできる。そして、以下に説明する各実施形態の特徴的制御内容及び構成をそれぞれ任意に組み合わせるようにしてもよい。
【００５５】
・ユーザ信号に含まれる付加情報として、手摺２０，５０，５１に設けられた発光装置の駆動内容を記憶させるようにしてもよい。例えば、第２手摺２２を使用するユーザのユーザ信号を受信した場合には第２手摺２２に設けられた発光装置を点滅又は点灯させるようにして好適である。また、第２手摺２２が移動中の時には発光装置を点滅させ、使用位置に位置する時には発光装置を点灯させるようにすることが望ましい。
【００５６】
・上記実施形態では、制御装置３３は、ユーザ毎の使用実績に基づき次回に使用する可能性の高いユーザを推定し、推定されたユーザの嗜好情報に応じた調整状態となるように、手摺２０の高さ及び太さを予め調整しているが、この変形例として、予め登録された優先順の最も順位の高いユーザの嗜好情報に応じた調整状態となるように手摺２０を予め調整するようにしてもよい。
【００５７】
・嗜好情報を登録させるにあたり、建物内の場所、時間帯、用途別のそれぞれに応じて異なる嗜好情報を登録可能にして好適である。
【００５８】
・複数のユーザのユーザ信号が受信された場合に、最初に手摺２０を使用したユーザのユーザ信号を優先して制御装置３３が制御するようにして好適である。最初に手摺２０を使用したユーザの判別方法としては、例えば手摺２０に最初に触れたユーザを検出する方法、或いは、設定距離以内に最初に近づいたユーザを検出する方法、等が挙げられる。
【００５９】
・手摺２０，５０，５１の高さ、太さ、傾斜角度、断面形状を調整することに加え、壁面１１ａからの水平位置を調整するようにしてもよい。
【００６０】
・上記実施形態では、ユーザ信号に含まれる付加情報として嗜好情報を用いているが、ユーザの身長、年齢、障害の種類、有無等の身体的特徴に関する情報を用いるようにしてもよい。
【００６１】
・上記実施形態では、優先順位を予め設定登録しているが、手動操作によりその都度優先順位を変更可能に構成してもよい。
【００６２】
・少なくとも一人のユーザが手摺２０を使用している最中には、他のユーザのユーザ信号を認識した場合であっても手摺２０を動かして再調整することを禁止してもよい。なお、手摺２０を使用しているか否かは、手摺２０に接触しているか否かを検出するセンサを設ければよい。
【００６３】
・また、あるユーザが手摺２０の使用を終了した後、所定時間（例えば数秒）が経過した場合、或いはそのユーザが所定距離以上離れた場合に、手摺２０を動かして再調整することを許可するように構成して好適である。
【００６４】
・上記第２手摺２２は、通常時には退避位置に移動させるようにしてもよい。すなわち、第２手摺２２を使用するユーザがその使用を終了して所定時間（例えば数秒）が経過すると、第２手摺２２を自動で退避位置に移動させればよい。
【００６５】
・上記実施形態では、ユーザ信号に含まれる付加情報に応じてユーザが自立歩行可能な下肢障害者、下肢衰弱者及び健常者のいずれかであるかを判別しているが、どのユーザが自立歩行可能な下肢障害者、下肢衰弱者及び健常者のいずれであるかを予め制御装置３３等に登録しておき、個人識別情報に応じて上記判別を行なうようにしてもよい。換言すれば、ユーザの付加情報を、スマートキーＫに記憶させてもよいし、スマートキーＫの外部（例えば制御装置３３）に記憶させてもよい。
【００６６】
・上記実施形態では、携帯型送信機としてスマートキーを採用しているが、携帯電話、ＩＣタグ又はＩＣカードを採用してもよい。
【図面の簡単な説明】
【００６７】
【図１】本発明の第１の実施形態に関し、自動調整式手摺装置が通路に適用されている状態を示す模式図。
【図２】図１に記載の第２手摺の構造を示す斜視図。
【図３】図１に記載の第１手摺の構造を示す断面図。
【図４】本発明の第２の実施形態に関し、第１手摺の構造を示す断面図。
【図５】本発明の第３の実施形態に関し、第２手摺の構造を示す斜視図。
【図６】本発明の第４の実施形態に関し、手摺及び階段を側方から見た模式図。
【図７】本発明の第５の実施形態に関し、（ａ）手摺及び階段を側方から見た模式図、（ｂ）は（ａ）のＩ矢視図。
【符号の説明】
【００６８】
２０，５０，５１…手摺、３２，４１，４２，４３，４４…電動モータ（アクチュエータ）、Ｋ…スマートキー（携帯型送信機）、３３…制御装置、３４…通信機（受信機）。
【図１】
2008261148.tif 000003
【図２】
2008261148.tif 000004
【図３】
2008261148.tif 000005
【図４】
2008261148.tif 000006
【図５】
2008261148.tif 000007
【図６】
2008261148.tif 000008
【図７】
2008261148.tif 000009